(57)【特許請求の範囲】
【請求項１】
電子機器の小窓側の両側面に対向して形成された第１および第２の軸穴と、上記小窓の開閉蓋の両側に対向して形成された第１および第２の軸穴と、上記小窓側と開閉蓋の第１および第２の軸穴に両側部が挿通されるヒンジ用軸と、上記小窓側の第１の軸穴の外方に設けられ、上記ヒンジ用軸を挿通させることができ、挿通後に変形されることによりヒンジ用軸を挿入方向の後方に対して抜止めし得る二股状の第１の抜け止め部材と、上記小窓側の第２の軸穴の外方に設けられ、この第２の軸穴に挿通される上記ヒンジ用軸を挿入方向の前方に対して抜け止めする第の抜け止め部材とを備えた電子機器用小窓開閉蓋のヒンジ装置。
【請求項２】
第１および第２の軸穴が電子機器のケースに取付けられる小ケースの両側面に形成され、第１および第２の抜け止め部材が上記小ケースに一体に連設された請求項１記載の電子機器用小窓開閉蓋のヒンジ装置。
【発明の詳細な説明】
【０００１】
【産業上の利用分野】
本発明は、電子機器における設定部（通常、操作の少ない部分）等を操作するために形成された小窓を開閉する開閉蓋のヒンジ装置に関する。
【０００２】
【従来の技術】
従来、電子機器においては、各種の設定については機器の表面部分で操作を行うのが普通であるが、信号の校正やチェック等、機器の通常操作以外の操作を行う場合には、その操作部を機器の表面部に露出させずに１段落し込み、蓋をして誤操作を防ぐ構造にする。
【０００３】
例えば、図６に示すように、電子機器１のケース２の操作パネル３に小窓４が形成されている。図７に示すように、小ケース５は前面が開放され、側板６、７の開放側で外方直角方向に取付け板８、９が一体に連設され、各取付け板８、９の中央部に取付け穴１０、１１が形成されている。側板６、７の開放側の下部に取付け穴１０、１１が形成されている。側板６、７の開放側の下部に軸穴１２、１３が対向して形成されている。奥側の操作面１４にはボリュームつまみ１５が支持されている。
【０００４】
小窓４を開閉する開閉蓋１７は両側の下部の背方に支持板１８、１９が一体に連設され、両支持板１８、１９に軸穴２０、２１が対向して形成されている。開閉蓋１７の支持板１８、１９が小ケース５の側板６、７の内側に挿入され、両側の軸穴１２、２０と２１、１３にヒンジ用軸２２の両側部が挿通されている。ヒンジ用軸２２の両側の突出部に形成された環状溝２３、２４にＥリング２５、２６が係合され、ヒンジ用軸２２が抜け止めされ、ヒンジ用軸２２を中心として開閉蓋１７が回動可能に支持されている。
【０００５】
そして、取付け板８、９がケース２の操作パネル３の内側における小窓４の両側で取付け穴１０、１１を利用してボルト、ナット２７（図２、図３参照）により取付けられ、小窓４が開閉蓋１７により開放可能に閉じられる。
【０００６】
したがって、開閉蓋１７を回動させて小窓４を開放することにより、ボリュームつまみ１５を操作することができる。
【０００７】
【発明が解決しようとする課題】
しかしながら、上記のような従来例のヒンジ装置では、ヒンジ用軸２２は通常、旋削加工されるため高価であり、これに加え、両端部に溝２３、２４を加工するが、この加工はヒンジ用軸２２が細いため、加工時に変形しやすく、加工に困難を伴い、更に一層高価になる。また、溝２３、２４にはＥ形リング２５、２６を専用工具やラジオペンチ等で係合させるが、この組立作業もヒンジ用軸２２が細く、Ｅリング２５、２６が小さいため、変形のおそれがあり、困難を伴うばかりでなく、組立時に製品表面部となる開閉蓋１７に傷を付けるおそれがあるなどの問題があった。
【０００８】
本発明は、上記のような従来の問題を解決するものであり、ヒンジ用軸に対する難しい加工を不要とし、しかも、開閉蓋を容易に組立ることができて開閉蓋の損傷を防止することができ、したがって、組立作業性の向上および低コスト化を図ることができるようにした電子機器用小窓開閉蓋のヒンジ装置を提供することを目的とするものである。
【０００９】
【課題を解決するための手段】
上記目的を達成するための本発明の技術的手段は、電子機器の小窓側の両側面に対向して形成された第１および第２の軸穴と、上記小窓の開閉蓋の両側に対向して形成された第１および第２の軸穴と、上記小窓側と開閉蓋の第１および第２の軸穴に両側部が挿通されるヒンジ用軸と、上記小窓側の第１の軸穴の外方に設けられ、上記ヒンジ用軸を挿通させることができ、挿通後に変形されることによりヒンジ用軸を挿入方向の後方に対して抜止めし得る二股状の第１の抜け止め部材と、上記小窓側の第２の軸穴の外方に設けられ、この第２の軸穴に挿通される上記ヒンジ用軸を挿入方向の前方に対して抜け止めする第の抜け止め部材とを備えたものである。
【００１０】
そして、上記技術的手段において、第１および第２の軸穴を電子機器のケースに取付けられる小ケースの両側面に形成し、第１および第２の抜け止め部材を上記小ケースに一体に連設するのが好ましい。
【００１１】
【作用】
上記のように構成された本発明によれば、ヒンジ用軸を二股状の抜け止め部材から小窓側と開閉蓋の第１の軸穴および開閉蓋と小窓側の第２の軸穴に挿通し、ヒンジ用軸の一端を第２の抜け止め部材で抜け止めした状態で第１の抜け止め部材を変形させることにより、ヒンジ用軸の他端を第１の抜け止め部材により抜け止めし、ヒンジ用軸を中心として開閉蓋を回動可能に支持することができる。このようにヒンジ用軸に対する難しい加工を不要とし、しかも、開閉蓋を容易に組立ることができて開閉蓋の損傷を防止することができる。
【００１２】
【実施例】
以下、本発明の一実施例について図面を参照しながら説明する。
【００１３】
図１ないし図５は本発明の一実施例における電子機器用小窓開閉蓋のヒンジ装置を示し、図１は分解斜視図、図２は組立状態の一部切欠正面図、図３は図２の左側面図、図４は図２のＡ−Ａ矢視断面図、図５は開閉蓋をヒンジ装置により電子機器の操作パネルに取付けた状態の水平断面図である。
【００１４】
図５に示すように、電子機器１のケース２の操作パネル３に小窓４が形成されている。図１ないし図５に示すように、小ケース５は前面が開放され、側板６、７の開放側で外方直角方向に取付け板８、９が一体に連設され、各取付け板８、９の中央部に取付け穴１０、１１が形成されている。側板６、７の開放側の下部に軸穴１２、１３が対向して形成されている。取付け板８、９の下部には軸穴１２、１３の外方で背方直角方向に抜け止め部材３０、３１が一体に連設され、軸穴１２側の抜け止め部材３０は軸穴１２の直径とほぼ等しい幅で水平方向に切欠３２を有する二股状に形成されている。奥側の操作面１４にはボリュームつまみ１５が支持されている。
【００１５】
小窓４を開閉する開閉蓋１７は両側の下部の背方に支持板１８、１９が一体に連設され、両支持板１８、１９に軸穴２０、２１が対向して形成されている。開閉蓋１７の支持板１８、１９が小ケース５の側板６、７の内側に挿入され、軸穴１２と２０、１３と２１が一致されている。抜け止め部材３０の切欠３２を通ってヒンジ用軸３３が軸穴１２、２０に挿通され、続いて軸穴２１、１３に挿通され、ヒンジ用軸３３の一端が抜け止め部材３１により挿入方向の前方に対して抜け止めされている。この状態でヒンジ用軸３３の他端は抜け止め部材３０の内側に位置している。そこで、抜け止め部材３０がラジオペンチ等で図３に示すように上下両側から押圧され、切欠３２が閉じるように変形されることにより、ヒンジ用軸３３の他端が挿入方向の後方に対して抜け止めされ、ヒンジ用軸３３を中心として開閉蓋１７が回動可能に支持されている。
【００１６】
そして、図５に示すように、取付け板８、９がケース２の操作パネル３の内側における小窓４の両側で取付け穴１０、１１を利用してボルト、ナット２７により取り付けられ、小窓４が開閉蓋１７により開放可能に閉じられる。
【００１７】
したがって、開閉蓋１７を回動させて小窓４を開放することにより、ボリュームつまみ１５を操作することができる。
【００１８】
なお、上記実施例では抜け止め部材３０、３１を小ケース５の取付け板８、９に一体に連設することにより、一枚の金属板から容易に得ることができ、構成を簡素化することができるが、操作パネル３と一体に設けてもよい。このほか、本発明は、その基本的技術思想を逸脱しない範囲で種々設計変更することができる。
【００１９】
【発明の効果】
以上説明したように本発明によれば、ヒンジ用軸を二股状の抜け止め部材から小窓側と開閉蓋の第１の軸穴および開閉蓋と小窓側の第２の軸穴に挿通し、ヒンジ用軸の一端を第２の抜け止め部材で抜け止めした状態で第１の抜け止め部材を変形させることにより、ヒンジ用軸の他端を第１の抜け止め部材により抜け止めし、ヒンジ用軸を中心として開閉蓋を回動可能に支持することができる。このようにヒンジ用軸に対する難しい加工を不要とし、しかも、開閉蓋を容易に組立ることができて開閉蓋の損傷を防止することができる。したがって、組立作業性の向上および低コスト化を図ることができる。  また、第１および第２の軸穴を電子機器のケースに取付ける小ケースの両側面に形成し、第１および第２の抜け止め部材を上記小ケースに一体に連設することにより、構成を簡素化して更に一層低コスト化を図ることができる。
【図面の簡単な説明】
【図１】本発明の一実施例における電子機器用小窓開閉蓋のヒンジ装置を示す分解斜視図
【図２】同ヒンジ装置を示し、組立状態の一部切欠正面図
【図３】同ヒンジ装置を示し、図２の左側面図
【図４】同ヒンジ装置を示し、図２のＡ−Ａ矢視断面図
【図５】同ヒンジ装置を示し、開閉蓋を操作パネルに取付けた状態の水平断面図
【図６】従来のヒンジ装置により開閉蓋を操作パネルに取付けた状態の外観図
【図７】従来のヒンジ装置を示す分解斜視図
【符号の説明】
１  電子機器
２  ケース
３  操作パネル
４  小窓
５  小ケース
８  取付け板
９  取付け板
１２  軸穴
１３  軸穴
１７  開閉蓋
２０  軸穴
２１  軸穴
３０  抜け止め部材
３１  抜け止め部材
【図１】
0003588816.tif 000002
【図２】
0003588816.tif 000003
【図３】
0003588816.tif 000004
【図４】
0003588816.tif 000005
【図５】
0003588816.tif 000006
【図６】
0003588816.tif 000007
【図７】
0003588816.tif 000008